(57)【要約】【課題】整流ダイオードのサージ電圧を効率よく抑制し、しかも小型化が可能なスナバ回路を備えたスイッチング電源装置を提供するものである。【解決手段】１次巻線および第１の２次巻線と第２の二次巻線を含むトランスと、１次巻線に直流電圧を断続的に印加するスイッチ回路と、第１の２次巻線に発生した電圧を整流する第１の整流器と第２の二次巻線に発生した電圧を整流する第２の整流器とで構成される整流回路と、整流回路からの出力を平滑する平滑回路と、整流回路の出力間に接続されたコンデンサとスイッチ素子の直列回路で構成されるスナバ回路を備え、第１の整流器又は第２の整流器のいずれか一方がオフしているときスイッチ素子をオンさせ、コンデンサの充放電をおこなうスナバ回路を備えたスイッチング電源装置である。【選択図】図１
2015126549.tif 000002
【特許請求の範囲】
【請求項１】
１次巻線と第１の２次巻線と第２の二次巻線を含むトランスと、
前記１次巻線に直流電圧を断続的に印加するスイッチ回路と、
前記第１の２次巻線の電圧を整流する第１の整流器と、
前記第２の二次巻線の電圧を整流する第２の整流器と、
前記整流回路からの出力を平滑する平滑回路と、
前記整流回路の出力に接続されたコンデンサとスイッチ素子から成る直列回路とを備え、
前記スイッチ素子は、前記第１の整流器又は第２の整流器のいずれか一方がオフしているときオンすることを特徴とするスイッチング電源装置。
【請求項２】
前記スイッチ素子に並列にダイオードを接続したことを特徴とする請求項１に記載のスイッチン電源装置。
【請求項３】
前記スイッチ素子はＰチャネルＭＯＳＦＥＴであることを特徴とする請求項１に記載のスイッチング電源装置。
【請求項４】
前記第１の整流器は第１の同期整流スイッチ素子であり、
前記第２の整流器は第２の同期整流スイッチ素子であり、
前記スイッチ素子は、前記第１の同期整流スイッチ素子の駆動信号及び前記第２の同期整流スイッチ素子の駆動信号が出力されているときオフすることを特徴とする請求項１又は３のいずれかに記載のスイッチング電源装置。
【請求項５】
前記スイッチ素子は、前記平滑回路の入力電圧が所定時以上のときオンすることを特徴とする請求項１又は３のいずれかに記載のスイッチング電源装置。
【発明の詳細な説明】
【技術分野】
【０００１】
本発明は、直流電圧を変換するスイッチング電源装置に関する。特にトランスの２次側に配置される整流ダイオードに印加されるサージ電圧を抑制する回路を備えるスイッチング電源装置に関する。
【背景技術】
【０００２】
直流入力電圧を直流出力電圧に変換するスイッチング電源装置は、電子機器に広く使用されている。入力電圧と出力電圧を絶縁する場合はトランスを用いることで容易に実現できる。しかし、スイッチング電源装置はスイッチング素子を高速にオンオフすることから、配線などに起因するインダクタンスによってサージ電圧を発生させる。このサージ電圧はスイッチング電源装置を構成する半導体素子に印加され、半導体素子を破損させることがある。このサージ電圧は特に直流電圧をオンオフするスイッチング素子と、スイッチング素子のオンオフによって発生した矩形波状の電圧を整流する整流ダイオードに発生する。このため、コンデンサと抵抗を直列に接続して構成されたスナバ回路を半導体素子に並列に接続してサージ電圧を抑える方法が一般的に知られている。しかし、コンデンサと抵抗を直列に接続して構成されたスナバ回路はコンデンサの充電でサージ電圧を吸収し、サージ電圧が無くなると充電された電圧を放電するので、コンデンサの充放電の際に抵抗による損失が発生する。このためスイッチング電源装置の効率を低下させる。
【０００３】
そこで、従来技術としては、１次巻線と２次巻線を有するトランスの１次巻線に、スイッチング素子をオンオフして直流電圧を断続的に印加させ、２次巻線に接続した整流回路の整流ダイオードに印加されるサージ電圧をアクティブスナバ回路で低減させるものがある（特許文献１）。図８に従来技術の回路構成図を示す。図８は直流入力電圧Ｖｉｎを断続させるスイッチ回路１０１と、スイッチ回路で断続された電圧を１次巻線１０２に入力し２次巻線１０４，１０６へ伝達するトランス１０３、トランス１０３の２次巻線１０４，１０６に発生した電圧をセンタタップ方式で整流する整流ダイオード１０７，１１５、整流ダイオード１０７，１１５の出力を平滑する平滑リアクトル１２５、平滑コンデンサ１２９で構成され、平滑コンデンサ１２９に出力電圧Ｖｏを出力する。アクティブスナバ回路は、整流ダイオード１０７，１１５と平滑リアクトル１２５の接続点とトランス１０３の２次巻線１０４，１０６の接続点の間に配置されるスナバ用ダイオード１５７とスナバ用コンデンサ１５９の直列回路と、スナバ用ダイオード１５７に並列接続されたスナバ用リアクトル１２３で構成される。
【０００４】
図８のスナバ回路は、スイッチ回路１０１のスイッチング動作において、トランス１０３の出力巻線１０４、１０６に発生する電圧が整流ダイオード１０７，１１５に対して逆方向となるサイクルでは、スナバ用ダイオード１５７、スナバ用コンデンサ１５９及びトランス１０３の出力巻線１０４、１０６を巡る充電ループが形成される。これによって整流ダイオード１０７，１１５に印加されるサージ電圧は、トランスのリーケージインダクタンス及び配線などを含めた直列インダクタンスとスナバ用コンデンサ１５９とによるＬＣ共振回路によるＬＣ共振電圧によって定まる電圧に抑制される。また、スイッチ回路のスイッチング動作において、トランス１０３の出力巻線１０４、１０６に現れる電圧が出力整流ダイオードに対して順方向となるサイクルでは、スナバ用コンデンサに蓄積されたエネルギーがスナバ用インダクタ１２３を通して放電する。このとき、スナバ用コンデンサ１５９に蓄積されたエネルギーは、スナバ用インダクタ１２３を通して、出力平滑回路の入力側に回生されるため、効率が向上する。
【０００５】
従来技術のスナバ回路は出力整流ダイオードの印加される電圧をスナバ用コンデンサに充電し、スナバ用コンデンサに充電されたエネルギーをスナバ用インダクタで出力平滑回路の入力側に回生するので、出力整流ダイオードに印加されるサージ電圧を抑制し、効率が向上する。しかし回生するためにスナバ用インダクタを使用するため、サイズが大きくなり、スイッチング電源装置の小型化を阻害する要因となる。
【先行技術文献】
【特許文献】
【０００６】
【特許文献１】ＷＯ２０００／７９６７４公報
【発明の概要】
【発明が解決しようとする課題】
【０００７】
解決しようとする課題は、整流ダイオードのサージ電圧を効率よく抑制し、しかも小型化が可能なスナバ回路を備えたスイッチング電源装置を提供するものである。
【課題を解決するための手段】
【０００８】
本発明は、１次巻線および第１の２次巻線と第２の二次巻線を含むトランスと、１次巻線に直流電圧を断続的に印加するスイッチ回路と、第１の２次巻線に発生した電圧を整流する第１の整流器と第２の二次巻線に発生した電圧を整流する第２の整流器とで構成される整流回路と、整流回路からの出力を平滑する平滑回路と、整流回路の出力間に接続されたコンデンサとスイッチ素子の直列回路で構成されるスナバ回路を備え、第１の整流器又は第２の整流器のいずれか一方がオフしているときスイッチ素子をオンさせ、コンデンサの充放電をおこなうスナバ回路を備えたスイッチング電源装置である。
【発明の効果】
【０００９】
本発明のスイッチング電源装置は、整流回路の出力に接続されたコンデンサが不要に放電することはないので、効率よく整流ダイオードのサージ電圧を抑制するするので、小型で高効率なスイッチング電源装置を実現できる。
【図面の簡単な説明】
【００１０】
【図１】図１は本発明の実施例１のスイッチング電源装置の回路構成図である。
【図２】図２は本発明の実施例１の２次側の回路を示した回路構成図である。
【図３】図３は本発明の実施例１の各部の波形しを示したタイミングチャートである。
【図４】図４は本発明の実施例１のスナバ用スイッチ素子の駆動信号を生成する回路を示した回路構成図である。
【図５】図５は本発明の実施例２のスイッチング電源装置の回路構成図である。
【図６】図６は本発明の実施例２の各部の波形を示したタイミングチャートである。
【図７】図７は本発明の実施例３のスイッチング電源装置の回路構成図である。
【図８】図８は従来技術のスイッチング電源装置の回路構成図である。
【発明を実施するための形態】
【実施例１】
【００１１】
図１は、本発明の実施例１のスイッチング電源装置の回路構成図である。実施例１のスイッチング電源装置は、直流入力電圧Ｖｉｎにスイッチ回路１が接続される。スイッチ回路１は第３スイッチ素子Ｑ３、第４スイッチ素子Ｑ４、第５スイッチ素子Ｑ５、第６スイッチ素子Ｑ６から成るフルブリッジ回路で構成される。スイッチ回路１の出力はトランスＴの一次側に配置される一次巻線ｎ３が接続される。トランスＴの２次側は第１二次巻線ｎ１の一端と第２二次巻線の一端が接続される。従って、接続点はセンタタップとなる。なお、トランスＴの一次巻線ｎ３、第１二次巻線ｎ１、第２二次巻線ｎ２に付いているドットマークは巻線の極性を示す。第１二次巻線ｎ１の他端は第１スイッチ素子Ｑ１が接続され、第２二次巻線の他端は第２スイッチ素子が接続され、第１スイッチ素子Ｑ１と第２スイッチ素子の他端はたがいに接続される。第１スイッチ素子Ｑ１と第２スイッチ素子Ｑ２の接続点からはトランスＴの第１二次巻線または第２二次巻線に発生した電圧を整流した電圧が出力され、センタタップ方式の同期整流回路２を構成する。第１二次巻線ｎ１と第２二次巻線ｎ２の接続点であるセンタタップには平滑リアクトルＬｏの一端が接続され、平滑リアクトルＬｏの他端は平滑コンデンサＣｏの一端に接続される。第１スイッチ素子と第２スイッチ素子の接続点である同期整流回路２の出力には平滑コンデンサＣｏの他端が接続され、平滑リアクトルＬｏと平滑コンデンサＣｏは平滑回路を構成する。平滑コンデンサＣｏの両端からは直流電圧が出力され負荷ＲＬに電力を供給する。第１スイッチ素子Ｑ１、第２スイッチ素子Ｑ２、第３スイッチ素子Ｑ３、第４スイッチ素子Ｑ４、第５スイッチ素子Ｑ５、第６スイッチ素子Ｑ６にはそれぞれ第１ダイオードＤｆ１、第２ダイオードＤｆ２、第３ダイオードＤｆ３、第４ダイオードＤｆ４、第５ダイオードＤｆ５、第６ダイオードＤｆ６が並列に接続される。第１から第６ダイオードＤｆ１からＤｆ６はそれぞれのスイッチ素子の寄生ダイオードでも良い。また直流電圧Ｖｉの両端にはコンデンサＣ１が接続される。
【００１２】
制御回路５はスイッチ回路１の第３スイッチ素子Ｑ３及び第６スイッチ素子Ｑ６がオフのとき、第４スイッチ素子Ｑ４、第５スイッチ素子Ｑ５を所定の期間同時にオンさせトランスＴの一次巻線ｎ３に断続的に直流電圧Ｖｉを印加し、トランス３を第１の方向に励磁する。さらに第４スイッチ素子Ｑ４、第５スイッチ素子Ｑ５がオフのとき、第３スイッチ素子Ｑ３及び第６スイッチ素子Ｑ６を所定の期間同時にオンさせトランスＴの一次巻線ｎ３に断続的に直流電圧Ｖｉを印加し、トランス３を第１の方向とは反対の第２の方向にに励磁する。また、制御回路５は第３、第４、第５、第６スイッチ素子が同時にオフしているとき同期整流回路２の第１スイッチ素子Ｑ１及び第２スイッチ素子Ｑ２をオンさせ、第３スイッチ素子Ｑ３および第６スイッチ素子Ｑ６がオンしているときは第１のスイッチング素子をオンし、第４スイッチ素子Ｑ４および第５スイッチ素子Ｑ５がオンしているときは第２スイッチ素子をオンするように同期整流回路２を駆動する。
【００１３】
さらに、実施例１はスナバ回路４を備える。スナバ回路４は、スナバ用コンデンサＣｓとスナバ用ダイオードＤｓの直列回路と、スナバ用ダイオードＤｓに並列に接続したスナバ用抵抗Ｒｓ及びスナバ用スイッチ素子Ｑｓの直列回路で構成され、トランスＴのセンタタップと同期整流回路２の出力との間に接続される。スナバ用スイッチ素子は同期整流回路２の第１スイッチ素子Ｑ１と第２スイッチ素子Ｑ２のいずれかがオフしているときにオンし、両方がオンしているときはオフするように制御回路５によって制御する。このため、スナバ用コンデンサが不要に放電されることが無く、トランスＴの二次巻線に発生する電圧にクランプされる。このため、同期整流回路２の第１スイッチ素子Ｑ１と第２スイッチ素子に印加される電圧は、トランスＴの二次巻線に発生する電圧より高いサージ電圧を抑制すると共に、スナバ用コンデンサの放電に係る損失を低減することが可能になる。なお、スナバ用ダイオードは無くても良いが、スナバ用スイッチ素子Ｑｓは、駆動信号Ｇｓが入力されてからの応答時間によりオンが遅れるとサージ電圧が発生することがある。スナバ用ダイオードは、サージ電圧が急峻に変化してもダイオードはスナバ用コンデンサＣｓの電圧とスナバ用ダイオードの順方向電圧の和の電圧を超えると直ちにオンするので直ちにサージ電圧を抑制する。また、スナバ用抵抗Ｒｓも無くても良いが、無いとスナバ用コンデンサが放電するとき急激に放電するのでノイズが発生する原因になる。スナバ用抵抗Ｒｓを付けるとこのようなことはない。
【００１４】
本発明の実施例１を図１、図２、図３を用いて詳細に説明する。図２は図１の実施例１の二次側の部分を表した回路構成図であるが、図１に対してトランスのリーケージインダクタンスおよび配線インダクタンスをリーケージインダクタンスＬｒ１及びＬｒ２として表している。図３は図１及び図２の構成部品の波形を表したタイミングチャートである。図３において、信号Ｇ３は第３スイッチ素子Ｑ３を駆動する駆動信号、信号Ｇ４は第４スイッチ素子Ｑ４を駆動する駆動信号、信号Ｇ５は第５スイッチ素子Ｑ５を駆動する駆動信号、信号Ｇ６は第６スイッチ素子Ｑ６を駆動する駆動信号、信号Ｇ１は第１スイッチ素子Ｑ１を駆動する駆動信号、信号Ｇ２は第２スイッチ素子Ｑ２を駆動する駆動信号、信号ＧＳはスナバ用スイッチ素子Ｑｓを駆動する駆動信号、ＩＱ１は第１スイッチ素子Ｑ１の電流波形、ＩＱ２は第２スイッチ素子Ｑ２の電流波形、ＶＱ１は第スイッチ素子Ｑ１の電圧波形、ＶＱ２は第２スイッチ素子の電圧波形、ＶＣｓはスナバ用コンデンサのＣｓの電圧波形、ＩＣｓはスナバ用コンデンサＣｓに流れる電流波形を示す。
【００１５】
時刻ｔ０では第３スイッチ素子Ｑ３および第６スイッチ素子Ｑ６および第４スイッチ素子Ｑ４および第５スイッチ素子Ｑ５はオフし、第１スイッチ素子Ｑ１および第２スイッチ素子Ｑ２はオンしている。この状態は時刻ｔ１まで継続し、この期間には、二次巻線ｎ１およびｎ２には電圧は発生しない。そこで、平滑リアクトルＬｏに蓄積されたエネルギーが第１スイッチ素子Ｑ１と第１二次巻線ｎ１および第２スイッチ素子Ｑ２と第２二次巻線ｎ２を介して負荷ＲＬ（平滑コンデンサＣｏ）に放出される。このときスナバ回路４には電圧が印加されず、またスナバ用スイッチ素子Ｑｓはオフしているので、スナバ用コンデンサＣｓは充電も放電もされない。時刻ｔ１において、第４スイッチ素子Ｑ４及び第５スイッチ素子Ｑ５がオンすると、直流電圧ＶｉがトランスＴの一次巻線ｎ３に印加され、トランスＴは第１の方向に励磁される。このとき同期整流回路２の第１スイッチ素子Ｑ１をオフさせ、第２スイッチ素子Ｑ２はオンを継続する。このため、トランスＴの第２二次巻線ｎ２に発生した電圧を第２スイッチ素子Ｑ２が同期整流する。またこのタイミングでスナバ用スイッチ素子Ｑｓをオンする。時刻ｔ１からｔ２の期間において、第２スイッチ素子Ｑ２によって整流されたエネルギーが平滑回路３へ供給され平滑されて負荷へ直流電力を供給する。
【００１６】
さらに時刻ｔ１において、第１二次巻線ｎ１には第１ダイオードＤｆ１に逆方向の電圧が発生する。このときに第１ダイオードＤｆ１の逆回復時間やスイッチ素子Ｑ１の寄生容量等に起因して第１スイッチ素子に流れる電流ＩＱ１はゼロ以下に減少する。この電流により図２に示すように第１スイッチ素子Ｑ１〜第二スイッチ素子Ｑ２〜第２二次巻線ｎ２〜第１二次巻線ｎ２の経路で短絡電流Ｉｓが流れ、リーケージインダクタンスＬｒ１及びＬｒ２にエネルギーが蓄積される。短絡電流Ｉｓが流れなくなると、言い換えると第１スイッチ素子に流れる電流がゼロになると、リーケージインダクタンスＬｒ１及びＬｒ２に蓄積されたエネルギーが放出される。このとき第１スイッチ素子及び第１ダイオードＤｆ１はオフしているので高いサージ電圧が印加される。しかし、スナバ用コンデンサＣｓはトランスＴの二次巻線に発生する電圧で充電されているので、充電電圧以上のサージ電圧が印加されるとスナバ用コンデンサＣｓに充電電流が流れサージ電圧を吸収する。スナバ用コンデンサＣｓの電圧はサージ電圧で充電されて上昇するが、時刻ｔ２でサージ電圧が無くなると、平滑リアクトルＬｏ〜負荷Ｌｏ（平滑コンデンサＣｏ）〜スナバ用スイッチ素子Ｑｓ〜スナバ用抵抗Ｒｓの経路で放電する。このときスナバ回路４にはトランスＴの第２の二次巻線に発生している電圧が印加される。スナバ用スイッチ素子Ｑｓは、第４スイッチ素子Ｑ４および第５スイッチ素子Ｑ５がオフする時刻ｔ３までオンを継続するので、スナバ用コンデンサＣｓはトランスＴの第２の二次巻線に発生する電圧まで放電する。
【００１７】
時刻ｔ３において、第４スイッチ素子Ｑ４及び第５スイッチ素子Ｑ５をオフする。同時に、第１スイッチ素子Ｑ１をオンする。このとき、平滑リアクトルＬｏに蓄えられたエネルギーが第スイッチ素子Ｑ１及び第２スイッチ素子Ｑ２を介して放出される。第１スイッチ素子Ｑ１がオンするので第１スイッチ素子Ｑ１および第２スイッチ素子の両方に電流が流れ、第２スイッチ素子に流れていた電流は半分になる。さらに、第１スイッチ素子Ｑ１及び第２スイッチ素子Ｑ２がオンになるので、スナバ用スイッチ素子Ｑｓはオフさせる。従ってスナバ用コンデンサＣｓは不要な放電をしない。
【００１８】
時刻ｔ４において、第３スイッチ素子Ｑ３および第６スイッチ素子をオンする。直流電圧ＶｉがトランスＴの一次巻線ｎ３に印加され、トランスＴは第１の方向とは反対の第２の方向に励磁される。同時に第２スイッチ素子Ｑ２をオフする。トランスＴの第１二次巻線ｎ１に発生した電圧を第１スイッチ素子Ｑ１が同期整流する。第２スイッチ素子Ｑ２がオフになるので、スナバ用スイッチ素子Ｑｓはオンさせる。第２二次巻線ｎ２には第２ダイオードＤｆ２に逆方向の電圧が発生する。このときに第２ダイオードＤｆ２の逆回復時間やスイッチ素子Ｑ２の寄生容量等に起因して第２スイッチ素子に流れる電流ＩＱ２はゼロ以下に減少する。このため図２に示す短絡電流Ｉｓとは逆方向の短絡電流−Ｉｓが流れ（−ＩｓはＩｓとは電流の流れる向きが異なるだけなので図示していない）、リーケージインダクタンスＬｒ１及びＬｒ２にエネルギーが蓄積される。短絡電流−Ｉｓが流れなくなると、言い換えると第２スイッチ素子に流れる電流がゼロになると、リーケージインダクタンスＬｒ１及びＬｒ２に蓄積されたエネルギーが放出される。このとき第２スイッチ素子及び第２ダイオードＤｆ２はオフしているので高いサージ電圧が印加される。しかし、スナバ用コンデンサＣｓはトランスＴの二次巻線に発生する電圧で充電されているので、充電電圧以上のサージ電圧が印加されるとスナバ用コンデンサＣｓに充電電流が流れサージ電圧を吸収する。スナバ用コンデンサＣｓの電圧はサージ電圧で充電されて上昇するが、時刻ｔ５でサージ電圧が無くなると、平滑リアクトルＬｏ〜負荷Ｌｏ（平滑コンデンサＣｏ）〜スナバ用スイッチ素子Ｑｓ〜スナバ用抵抗Ｒｓの経路で放電する。このときスナバ回路４にはトランスＴの第２の二次巻線に発生している電圧が印加される。スナバ用スイッチ素子Ｑｓは、第３スイッチ素子Ｑ３および第６スイッチ素子Ｑ６がオフする時刻ｔ０までオンを継続するので、スナバ用コンデンサＣｓはトランスＴの第２の二次巻線に発生する電圧まで放電する。
【００１９】
本発明の実施例１は以上の動作を繰り返し、負荷に電力を供給する。このとき、同期整流回路２の第１スイッチ素子Ｑ１及び第２スイッチ素子Ｑ２に過大なサージ電圧が印加されることはなく、スナバ回路４のスナバ用コンデンサは、不要な放電をすることが無い。
【００２０】
また、スナバ用スイッチ素子Ｑｓは、図４に示す方法によって駆動信号ＧＳを生成する。つまり、スナバ用スイッチ素子にＰチャネルＭＯＳＦＥＴスイッチＱｓ’を使用し、制御回路５は第１スイッチ素子Ｑ１の駆動信号Ｇ１および第２スイッチ素子Ｑ２の駆動信号Ｇ２を論理積回路であるＡＮＤ１に入力し、ＡＮＤ１の出力からコンデンサＣｇｓを介してスナバ用スイッチ素子Ｑｓの駆動信号ＧＳを出力する。これによって、同期整流回路２の第１スイッチ素子Ｑ１と第２スイッチ素子がともにオンしているときは論理積回路ＡＮＤ1の出力はハイレベルになり、コンデンサＣｇｓはダイオードＤｇｓを介して、論理積回路ＡＮＤ1と接続されている端子がプラス、ＭＯＳＦＥＴスイッチＱｓ’と接続されている端子がマイナスに充電される。このとき、ＭＯＳＦＥＴスイッチＱｓ’のゲート・ソース間にはダイオードＤｇｓの順方向電圧降下が印加されるのでＭＯＳＦＥＴスイッチＱｓ’はオフする。また、同期整流回路２の第１スイッチ素子Ｑ１と第２スイッチ素子のいづれか一方がオフになると論理積回路ＡＮＤ1の出力はローレベルになり、コンデンサＣｇｓに充電された電圧がＭＯＳＦＥＴスイッチＱｓ’のゲート・ソース間に印加される。このときＭＯＳＦＥＴスイッチＱｓ’はゲート電極がソース電極に対して負になるのでＭＯＳＦＥＴスイッチＱｓ’はオンする。このように、スナバ用スイッチ素子にＰチャネルＭＯＳＦＥＴスイッチＱｓ’を使用することによって、スナバ用ダイオードＤｓにＰチャネルＭＯＳＦＥＴの寄生ダイオードを使用することが可能になる。なお、図４のｃｏｎｔ１はスイッチ素子Ｑ１からＱ６の駆動信号を生成するための信号生成回路である。
【実施例２】
【００２１】
図５は本発明の実施例２の二次側の回路を示す回路構成図である。実施例１との違いは、スナバ用スイッチ素子Ｑｓの駆動信号をスナバ回路４ａに印加される電圧を検知して生成することである。このため、スナバ回路４ａは、スナバ用コンデンサＣｓとスナバ用ダイオードＤｓの直列回路と、スナバ用ダイオードＤｓに並列に接続したスナバ用抵抗Ｒｓ及びスナバ用スイッチ素子Ｑｓの直列回路で構成され、トランスＴのセンタタップと同期整流回路２の出力間に接続される。さらにトランスＴのセンタタップと同期整流回路２の出力間に抵抗Ｒ１及びＲ２の直列回路を接続し、抵抗Ｒ１と抵抗Ｒ２の接続点から駆動回路ＶＦ１を介してスナバ用スイッチ素子Ｑｓの制御端子に接続する。
【００２２】
図６は実施例２の動作波形を示すタイミングチャートである。信号Ｇ１は同期整流回路２の第１スイッチ素子Ｑ１の駆動信号、信号Ｇ２は同期整流回路２の第２スイッチ素子Ｑ２の駆動信号、電圧ＶＬｏはトランスＴのセンタタップと同期整流回路２の出力間に発生する電圧、言い換えると平滑回路３に入力される電圧である。図６に示すように電圧ＶＬｏは同期整流回路２の第１スイッチ素子Ｑ１または第２スイッチ素子Ｑ２のいずれか一方がオンしているときは電圧が発生するが、両方オンしているときには電圧が発生しない。従って抵抗Ｒ２には同期整流回路２の第１スイッチ素子Ｑ１または第２スイッチ素子Ｑ２のいずれか一方がオンしているときに電圧が発生する。この電圧を用いて駆動回路ＶＦ１を介してスナバ用スイッチ素子Ｑｓを駆動する。このため実施例２においても実施例１と同じ効果を持つ。
【００２３】
図６の実施例２は同期整流回路２を用いて整流したが、同期整流回路２のスイッチ素子の駆動信号を利用しないので、同期整流回路を使用しなくてもスナバ用スイッチ素子Ｑｓを駆動できる。実施例２で同期整流回路を使用しない例を図７に示す。
【産業上の利用可能性】
【００２４】
本発明のスイッチング電源装置は小型化、高効率化が可能であり、各種電子機器を駆動する電源として利用可能である。
【符号の説明】
【００２５】
１    スイッチ回路
２、２ａ    同期整流回路
３    平滑回路
４、４ａ    スナバ回路
５    制御回路
Ｖｉ    入力直流電源
Ｃ１    入力コンデンサ
Ｑ１、Ｑ２、Ｑ３、Ｑ４、Ｑ５、Ｑ６、Ｑｓ    スイッチ素子
Ｑｓ’    ＰチャネルＭＯＳＦＥＴ
Ｄｆ１、Ｄｆ２、Ｄｆ３、Ｄｆ４、Ｄｆ５、Ｄｆ６、Ｄｓ    ダイオード
Ｇ１、Ｇ２、Ｇ３、Ｇ４、Ｇ５、Ｇ６、  Ｇｓ    駆動信号
Ｔ    トランス
ｎ１、ｎ２、ｎ３    巻線
Ｌｏ    リアクトル
Ｃｓ、Ｃｏ    コンデンサ
Ｒｓ    抵抗
ＲＬ    負荷
【図１】
2015126549.tif 000003
【図２】
2015126549.tif 000004
【図３】
2015126549.tif 000005
【図４】
2015126549.tif 000006
【図５】
2015126549.tif 000007
【図６】
2015126549.tif 000008
【図７】
2015126549.tif 000009
【図８】
2015126549.tif 000010